(57)【要約】      （修正有）【課題】様々な方向に延びる流路が形成された蓄電装置を提供する。【解決手段】蓄電装置は、蓄電素子と、第一方向において蓄電素子と隣り合うことで該蓄電素子との間に第一方向と直交する仮想面に沿い且つ温度調整用の流体が流通可能な流路３５を形成する隣接部材と、を備える。流路は、入口と出口とを有すると共に、入口と出口との間の途中に位置し且つ入口から延びる方向と出口に延びる方向とを異ならせる方向変換部３６を有する。【選択図】図１５
2019220418.tif 000002
【特許請求の範囲】
【請求項１】
蓄電素子と、
第一方向において前記蓄電素子と隣り合うことで該蓄電素子との間に前記第一方向と直交する仮想面に沿い且つ温度調整用の流体が流通可能な流路を形成する隣接部材と、を備え、
前記流路は、入口と出口とを有すると共に、前記入口と前記出口との間の途中に位置し且つ前記入口から延びる方向と前記出口に延びる方向とを異ならせる方向変換部を有する、ことを特徴とする蓄電装置。
【請求項２】
前記隣接部材は、前記方向変換部或いは前記方向変換部よりも前記入口側において、前記方向変換部における前記流体の流速及び該流体の状態の少なくとも一方を制御する、請求項１記載の蓄電装置。
【請求項３】
前記流路は、前記入口を含む第一路であって、前記入口から前記方向変換部まで前記第一方向と直交する第二方向に延びる第一路と、それぞれ前記出口を含む一対の第二路であって、前記方向変換部から各出口まで前記第一方向及び前記第二方向のいずれとも直交する第三方向における一方側と他方側とに延びる一対の第二路と、を有し、
前記隣接部材は、前記方向変換部に配置されたリブ部であって、前記蓄電素子側に突出するリブ部を含み、
前記リブ部は、前記入口から前記第一路に入ってきた前記流体の流れを前記一対の第二路に流入するように分岐させるように前記一対の第二路間で延び、
前記リブ部により分岐された前記流体が流れる前記流路の少なくとも一部の幅が、前記流路の前記少なくとも一部より前記入口側の部位の幅と比べて狭い、請求項１又は請求項２記載の蓄電装置。
【請求項４】
前記流路は、前記入口を含む第一路であって、前記入口から前記方向変換部まで前記第一方向と直交する第二方向に延びる第一路と、それぞれ前記出口を含む一対の第二路であって、前記方向変換部から各出口まで前記第一方向及び前記第二方向のいずれとも直交する第三方向における一方側と他方側とに延びる一対の第二路と、を有し、
前記隣接部材は、前記方向変換部を画定する壁面であって、前記第一路の延長線上に配置されて前記第三方向において延びる壁面を有する、請求項１記載の蓄電装置。
【請求項５】
前記蓄電素子が前記第一方向において複数配置され、
前記複数の蓄電素子の各々は、前記第二方向に向く外面を有し、
前記隣接部材は、前記複数の蓄電素子のうち隣り合う蓄電素子の間に配置され、該隣り合う蓄電素子の少なくともいずれか一方の蓄電素子の前記外面と前記第二方向における外側から接触する接触部を備え、
前記流路の入口は、前記接触部よりも前記第二方向における外側に位置している、請求項１〜請求項４のいずれか１項に記載の蓄電装置。
【請求項６】
前記隣接部材は、前記接触部に前記第三方向において連続すると共に、前記隣り合う蓄電素子の前記外面と離間した状態で対向している対向部を有し、
前記対向部には、前記流路の入口を構成する貫通孔が設けられ、
前記接触部及び前記対向部は、前記第三方向において前記隣り合う蓄電素子の前記外面を覆う、請求項５記載の蓄電装置。
【発明の詳細な説明】
【技術分野】
【０００１】
本発明は、蓄電素子と、該蓄電素子に並び且つ該蓄電素子との間に流路を形成する隣接部材と、を備えた蓄電装置に関する。
【背景技術】
【０００２】
従来、隣接する電池セルの間にスペーサが配置されたバッテリシステムが知られている（例えば、特許文献１参照）。具体的に、このバッテリシステムは、図２０に示すように、積層された電池セル１０２と、隣り合う電池セル１０２の間に配置されたスペーサ１０３と、を備える。スペーサ１０３は、電池セル１０２と対向する対向面に、電池セル１０２の積層方向と直交する方向における両側端まで延びる溝１１０を複数設けることで、電池セル１０２との間に空気などの冷却気体を通過させる冷却隙間１２０を形成している。複数の溝１１０は、互いに平行に所定の間隔をあけた状態で設けられている。
【０００３】
ところで、冷却隙間１２０による冷却性能を鑑みると、冷却隙間（流路）１２０の延びる方向を、スペーサ１０３における両側端間に延びる方向に限らず、様々なものとしたいとの要請があった。
【先行技術文献】
【特許文献】
【０００４】
【特許文献１】特開２００９−１７０２５８号公報
【発明の概要】
【発明が解決しようとする課題】
【０００５】
そこで、本実施形態では、様々な方向に延びる流路が形成された蓄電装置を提供することを目的とする。
【課題を解決するための手段】
【０００６】
本実施形態の蓄電装置は、
蓄電素子と、
第一方向において前記蓄電素子と隣り合うことで該蓄電素子との間に前記第一方向と直交する仮想面に沿い且つ温度調整用の流体が流通可能な流路を形成する隣接部材と、を備え、
前記流路は、入口と出口とを有すると共に、前記入口と前記出口との間の途中に位置し且つ前記入口から延びる方向と前記出口に延びる方向とを異ならせる方向変換部を有する。
【０００７】
かかる構成によれば、流路の入口と出口との間に方向変換部が設けられているため、様々な方向に延びる流路が形成された蓄電装置を提供することができる。
【０００８】
前記蓄電装置では、
前記隣接部材は、前記方向変換部或いは前記方向変換部よりも前記入口側において、前記方向変換部における前記流体の流速及び該流体の状態の少なくとも一方を制御してもよい。
【０００９】
かかる構成によれば、隣接部材が、方向変換部における流体の流速や流体の状態を制御することで、この方向変換部での流体の流れのよどみが抑えられるため、このよどみに起因する冷却性能の低下を抑制できる。
【００１０】
前記蓄電装置では、
前記流路は、前記入口を含む第一路であって、前記入口から前記方向変換部まで前記第一方向と直交する第二方向に延びる第一路と、それぞれ前記出口を含む一対の第二路であって、前記方向変換部から各出口まで前記第一方向及び前記第二方向のいずれとも直交する第三方向における一方側と他方側とに延びる一対の第二路と、を有し、
前記隣接部材は、前記方向変換部に配置されたリブ部であって、前記蓄電素子側に突出するリブ部を含み、
前記リブ部は、前記入口から前記第一路に入ってきた前記流体の流れを前記一対の第二路に流入するように分岐させるように前記一対の第二路間で延び、
前記リブ部により分岐された前記流体が流れる前記流路の少なくとも一部の幅が、前記流路の前記少なくとも一部より前記入口側の部位の幅と比べて狭くてもよい。
【００１１】
かかる構成によれば、リブ部により分岐された流体が流れる流路の少なくとも一部の幅がその入口側の部位の幅よりも狭いため、方向変換部における流速が速くなり、その結果、流速に起因する冷却性能の低下を抑制できる。
【００１２】
前記蓄電装置では、
前記流路は、前記入口を含む第一路であって、前記入口から前記方向変換部まで前記第一方向と直交する第二方向に延びる第一路と、それぞれ前記出口を含む一対の第二路であって、前記方向変換部から各出口まで前記第一方向及び前記第二方向のいずれとも直交する第三方向における一方側と他方側とに延びる一対の第二路と、を有し、
【００１３】
前記隣接部材は、前記方向変換部を画定する壁面であって、前記第一路の延長線上に配置されて前記第三方向において延びる壁面を有してもよい。
【００１４】
かかる構成によれば、第一路から方向変換部に流れてきた流体は、第一路の延長線上に配置され且つ第三方向において延びる隣接部材の壁面（方向変換部を画定する壁面）に衝突することにより、この壁面の周辺において乱流が起きるため、方向変換部において部分的に生じるやすい流体の流れのよどみを抑えることで、このよどみに起因する冷却性能の低下を抑制できる。
【００１５】
前記蓄電装置では、
前記蓄電素子が前記第一方向において複数配置され、
前記複数の蓄電素子の各々は、前記第二方向に向く外面を有し、
前記隣接部材は、前記複数の蓄電素子のうち隣り合う蓄電素子の間に配置され、該隣り合う蓄電素子の少なくともいずれか一方の蓄電素子の前記外面と前記第二方向における外側から接触する接触部を備え、
前記流路の入口は、前記接触部よりも前記第二方向における外側に位置している。
【００１６】
かかる構成によれば、隣り合う蓄電素子の前記外面の入口を挟んだ位置同士において、沿面距離が延びることにより絶縁性を確保できる。
【００１７】
前記蓄電装置では、
前記隣接部材は、前記接触部に前記第三方向において連続すると共に、前記隣り合う蓄電素子の前記外面と離間した状態で対向している対向部を有し、
前記対向部には、前記流路の入口を構成する貫通孔が設けられ、
前記接触部及び前記対向部は、前記第三方向において前記隣り合う蓄電素子の前記外面を覆っていてもよい。
【００１８】
かかる構成によれば、接触部や対向部が、第三方向において連続すると共に第三方向において隣り合う蓄電素子の外面を覆っているため、隣り合う蓄電素子の外面の間における絶縁性をさらに確保できる。
【発明の効果】
【００１９】
本実施形態の蓄電装置によれば、様々な方向に延びる流路が形成された蓄電装置を提供することができる。
【図面の簡単な説明】
【００２０】
【図１】図１は、本実施形態に係る蓄電装置の斜視図である。
【図２】図２は、前記蓄電装置の分解斜視図である。
【図３】図３は、前記蓄電装置における隣り合う蓄電素子及びその間に配置される隣接部材（第三隣接部材）の正面図である。
【図４】図４は、図３のＩＶ−ＩＶ位置における断面図である。
【図５】図５は、前記蓄電装置における隣接部材（第一隣接部材）のＸ軸方向における一方側及び他方側の構成を説明するための斜視図である。
【図６】図６は、前記隣接部材（第一隣接部材）のＸ軸方向における一方側及び他方側に形成される流路を説明するための斜視図である。
【図７】図７は、前記蓄電装置における隣接部材（第二隣接部材）のＸ軸方向における他方側の構成を説明するための斜視図である。
【図８】図８は、前記蓄電装置における隣接部材（図７の第二隣接部材とは別の第二隣接部材）のＸ軸方向における一方側の構成を説明するための斜視図である。
【図９】図９は、前記隣接部材（第二隣接部材）のＸ軸方向における他方側に形成される流路を説明するための斜視図である。
【図１０】図１０は、前記隣接部材（図７の第二隣接部材とは別の第二隣接部材）のＸ軸方向における一方側に形成される流路を説明するための斜視図である。
【図１１】図１１は、前記隣接部材（第三隣接部材）のＸ軸方向における一方側の構成を説明するための斜視図である。
【図１２】図１２は、前記隣接部材（第三隣接部材）のＸ軸方向における他方側の構成を説明するための斜視図である。
【図１３】図１３は、前記隣接部材（第三隣接部材）のＸ軸方向における一方側の構成を説明するための正面図である。
【図１４】図１４は、前記隣接部材（第三隣接部材）のＸ軸方向における他方側の構成を説明するための背面図である。
【図１５】図１５は、前記隣接部材（第三隣接部材）のＸ軸方向における一方側に形成される流路を説明するための正面図である。
【図１６】図１６は、前記隣接部材（第三隣接部材）のＸ軸方向における他方側に形成される流路を説明するための背面図である。
【図１７】図１７は、変形例に係る蓄電装置における隣接部材（第三隣接部材）のＸ軸方向における一方側の構成を説明するための正面図である。
【図１８】図１８は、変形例に係る蓄電装置における隣接部材（第三隣接部材）のＸ軸方向における一方側の構成を説明するための正面図である。
【図１９】図１９は、変形例に係る蓄電装置における隣接部材（第三隣接部材）のＸ軸方向における一方側の構成を説明するための正面図である。
【図２０】図２０は、従来の蓄電装置を説明するための模式図である。
【発明を実施するための形態】
【００２１】
以下、本発明の一実施形態について、図１〜図１６を参照しつつ説明する。尚、本実施形態の各構成部材（各構成要素）の名称は、本実施形態におけるものであり、背景技術における各構成部材（各構成要素）の名称と異なる場合がある。
【００２２】
蓄電装置は、図１及び図２に示すように、蓄電素子２と、第一方向において蓄電素子２と隣り合う隣接部材３と、を備える。本実施形態の蓄電装置１は、第一方向に並ぶ複数の蓄電素子２を備えている。また、本実施形態の蓄電装置１は、複数の蓄電素子２を保持する保持部材４と、複数の蓄電素子２に沿って配置されるインシュレータ５と、異なる蓄電素子２を導通可能に接続するバスバ６と、複数の蓄電素子２の入出力を行う外部入出力用端子４９と、を備える（図２参照）。
【００２３】
複数の蓄電素子２のそれぞれは、一次電池、二次電池、キャパシタ等である。本実施形態の蓄電素子２は、充放電可能な非水電解質二次電池である。より具体的には、蓄電素子２は、リチウムイオンの移動に伴って生じる電子移動を利用したリチウムイオン二次電池である。この蓄電素子２は、いわゆる角型のリチウムイオン二次電池である。
【００２４】
複数の蓄電素子２のそれぞれは、電極体２０と、電極体２０を電解液と共に収容するケース２１と、少なくとも一部がケース２１の外側に露出する外部端子２２と、を有する（図４参照）。
【００２５】
ケース２１は、開口を有するケース本体２１１と、ケース本体２１１の開口を塞ぐ（閉じる）板状の蓋板２１６と、を有する（図２、図４参照）。本実施形態のケース本体２１１は、有底角筒状であり、ケース２１は、扁平な直方体形状である。ケース本体２１１は、矩形板状の閉塞部２１２と、閉塞部２１２の周縁に接続される筒状の胴部（周壁）２１３と、を備える。胴部２１３は、偏平な角筒形状を有する（図２、図３参照）。この胴部２１３は、閉塞部２１２の周縁における長辺から延びる一対の長壁部２１４と、閉塞部２１２の周縁における短辺から延びる一対の短壁部２１５とを有する（図２参照）。短壁部２１５が一対の長壁部２１４の対応する端部同士をそれぞれ接続することによって、扁平な角筒状の胴部２１３が形成される。蓋板２１６は、ケース本体２１１の開口を塞ぐ矩形板状の部材である。この蓋板２１６には、一対の外部端子２２が間隔をあけて配置されている。また、蓋板２１６は、ケース２１内のガスを外部に排出可能なガス排出弁２１７を有する。ガス排出弁２１７は、ケース２１の内部圧力が所定の圧力まで上昇したときに、該ケース２１内から外部にガスを排出する。本実施形態のガス排出弁２１７は、一対の外部端子２２の間に配置される。
【００２６】
本実施形態の蓄電装置１では、複数の蓄電素子２は、ケース２１（ケース本体２１１）の長壁部２１４同士を互いに対向させた状態で並んでいる。
【００２７】
以下では、複数の蓄電素子２が並ぶ第一方向を直交座標系のＸ軸とし、ケース本体２１１の短壁部２１５が対向する第三方向を直交座標系のＹ軸とし、閉塞部２１２と蓋板２１６とが対向する第二方向（閉塞部２１２の外面の向く方向）を直交座標系のＺ軸とする。
【００２８】
隣接部材３は、Ｘ軸方向に隣り合う二つの蓄電素子２の間、又は、Ｘ軸方向の最も端の蓄電素子２と該蓄電素子２に対してＸ軸方向に並ぶ部材（本実施形態の例では、保持部材４の一部）との間に配置される。この隣接部材３は、例えば、樹脂等の絶縁性を有する部材によって構成される。また、隣接部材３は、隣接する蓄電素子２との間に温度調整用の流体（例えば、冷却流体）が流通可能な流路３５を形成する（図４参照）。
【００２９】
具体的に、隣接部材３は、Ｘ軸方向において蓄電素子２と隣り合うことで蓄電素子２との間にＸ軸方向と直交する仮想面（Ｙ−Ｚ面（Ｙ軸とＺ軸とを含む面））に沿い且つ流体が流通可能な流路３５を形成する。この流路３５は、Ｘ軸方向において隣り合う蓄電素子２と隣接部材３とにより規定される（囲まれる）空間であり、空間を規定する蓄電素子２の表面及び隣接部材３の表面をいずれも含まない。本実施形態の流路３５では、開口３５ａは流体の流入する入口に相当し、開口３５ｂは流体の流出する出口に相当する（図６、図９、図１０、図１５、図１６参照）。換言すると、流路３５は、入口３５ａと出口３５ｂとを有する。本実施形態の隣接部材３は、流路３５を複数形成する。この複数の流路３５のうち少なくとも一つの流路３５は、長手方向の途中位置において曲がっている。本実施形態の流路３５は、Ｚ軸方向における隣接部材３の他方側の端部位置（蓄電素子２の閉塞部２１２と対応する位置）に形成される開口３５ａから、Ｙ軸方向における隣接部材３の一方側及び他方側の端部位置（蓄電素子２の各短壁部２１５と対応する位置）に形成される開口３５ｂまで延びている流路３５０を含む（図６、図９、図１０、図１５参照）。
【００３０】
流路３５は、該流路３５の長手方向の途中位置において曲がっている部位として、方向変換部３６を有する。方向変換部３６は、入口３５ａと出口３５ｂとの間の途中に位置し且つ入口３５ａから延びる方向と出口３５ｂに延びる方向とを異ならせる部位である。本実施形態の方向変換部３６では、隣接部材３が、方向変換部３６における流体の流速及び該流体の状態の少なくとも一方を制御する。
【００３１】
以下では、Ｘ軸方向における蓄電装置１の略中央位置において隣り合う二つの蓄電素子２の間に配置される隣接部材３を第一隣接部材３１と称し、Ｘ軸方向の最も端の蓄電素子２の外側（本実施形態の例では、保持部材４と最も端の蓄電素子２との間）で該蓄電素子２と隣接する隣接部材３を、第二隣接部材３２と称し、Ｘ軸方向における第一隣接部材３１と第二隣接部材３２との間において、隣り合う二つの蓄電素子２の間に配置される隣接部材３を第三隣接部材３３と称することがある（図２参照）。
【００３２】
本実施形態の蓄電装置１では、第一隣接部材３１は、Ｘ軸方向の略中央位置の蓄電素子２間に配置され、第二隣接部材３２は、Ｘ軸方向に並ぶ複数の蓄電素子２の両外側に配置され、第三隣接部材３３は、第一隣接部材３１が配置されている蓄電素子２間を除いた蓄電素子２間のそれぞれに配置される。即ち、蓄電装置１は、一つの第一隣接部材３１と、一対の第二隣接部材３２と、複数の第三隣接部材３３と、を備える。
【００３３】
第一隣接部材３１は、Ｘ軸方向に隣り合う二つの蓄電素子２の間に位置する略矩形板状の第一本体部３１１と、第一本体部３１１に隣接する蓄電素子２の該第一本体部３１１に対する相対移動を規制する第一規制部３１２と、を有する（図５参照）。また、第一隣接部材３１は、第一規制部３１２の一部からＸ軸方向に延びる第一対向部３１７、及び、第一本体部３１１等からＸ軸方向に延びる第一シールリブ３１８等も有する。尚、本実施形態の第一隣接部材３１では、Ｘ軸方向における一方側の構成とＸ軸方向における他方側の構成とが同一である。換言すると、第一隣接部材３１は、Ｘ軸方向における中心を通るＹ−Ｚ面を基準にＸ軸方向において対称な形状を有する。以下、第一隣接部材３１のＸ軸方向における一方側の構成について説明する。第一隣接部材３１のＸ軸方向における他方側の構成は、第一隣接部材３１のＸ軸方向における一方側の構成と同様である。
【００３４】
第一本体部３１１は、蓄電素子２のケース２１における長壁部２１４とＸ軸方向から見て重なる部位を含み、Ｙ−Ｚ面方向に広がる。本実施形態の第一本体部３１１は、長壁部２１４とＸ軸方向から見て重なる重なり部位３１１６と、重なり部位３１１６のＺ軸方向における他方側に位置する端縁のＹ軸方向における中央領域からＺ軸方向における他方側に延びる延出部位３１１７と、を含む。尚、延出部位３１１７は、第一本体部３１１とＸ軸方向において隣り合う蓄電素子２の閉塞部２１２よりＺ軸方向における他方側に位置している。
【００３５】
また、第一本体部３１１は、蓄電素子２と対向する面３１１１から突出する複数の第一突条３１１２を有する。この第一突条３１１２が、第一本体部３１１と隣り合う蓄電素子２（長壁部２１４の外面）に当接することによって、蓄電素子２（長壁部２１４の外面）と該蓄電素子２と対向する面３１１１との間に隙間が形成され、この隙間が流路３５を構成する。具体的には、第一本体部３１１において、第一突条３１１２が、第一本体部３１１と隣り合う蓄電素子２（長壁部２１４の外面）に当接することによって、蓄電素子２（長壁部２１４の外面）と第一本体部３１１の面３１１１における第一突条３１１２が突出していない離間領域３１１５との間に隙間が形成され、この隙間が流路３５を構成する。
【００３６】
この第一本体部３１１のＸ軸方向の寸法は、第二隣接部材３２における第一本体部３１１と対応する部位のＸ軸方向の寸法、及び第三隣接部材３３における第一本体部３１１と対応する部位のＸ軸方向の寸法より大きい（図２参照）。また、第一本体部３１１のＹ軸方向の両端部は、保持部材４に固定される。本実施形態の第一本体部３１１は、ボルト３１５によって保持部材４に固定される。
【００３７】
第一規制部３１２は、第一本体部３１１からＸ軸方向に延び、第一本体部３１１と隣接する蓄電素子２（詳しくはケース２１）とＹ−Ｚ面方向の外側から当接することによって該蓄電素子２の第一本体部３１１に対するＹ−Ｚ面方向への相対移動を規制する（図５参照）。本実施形態の第一規制部３１２は、第一本体部３１１のＺ軸方向における一方側に位置する一対の角部３１１３からＸ軸方向における外側に延びる第一規制部３１２Ａと、第一本体部３１１のＺ軸方向における他方側に位置する一対の角部３１１４から、Ｘ軸方向における外側に向けて延びている第一規制部３１２Ｂと、を含む。
【００３８】
第一規制部３１２Ａは、第一本体部３１１の一対の角部３１１３のＹ軸方向に延びる端縁及びＺ軸方向に延びる端縁からＸ軸方向における外側に延び、第一本体部３１１と隣り合う蓄電素子２（ケース２１）の角部にＸ−Ｚ面（Ｘ軸とＺ軸とを含む面）方向の外側から当接する。
【００３９】
第一規制部３１２Ｂは、第一本体部３１１の一対の角部３１１４のＹ軸方向に延びる端縁及びＺ軸方向に延びる端縁からＸ軸方向における外側に延び、第一本体部３１１と隣り合う蓄電素子２（ケース２１）の角部にＸ−Ｚ面方向の外側から当接する。本実施形態の第一規制部３１２Ｂは、Ｙ軸方向に間隔をあけて並んだ状態で一対配置されている。また、本実施形態の第一規制部３１２Ｂは、角部３１１４のＺ軸方向に延びる端縁からＸ軸方向における外側に延びる第一延設部３１２０と、角部３１１４のＹ軸方向に延びる端縁からＸ軸方向における外側に延びると共に、蓄電素子２の閉塞部２１２と接触する第一接触部（第二延設部）３１６と、を有する。
【００４０】
第一接触部３１６は、第一本体部３１１とＸ軸方向において隣り合う蓄電素子２の閉塞部２１２とＺ軸方向における外側（Ｚ軸方向における他方側）から接触している。本実施形態の第一接触部３１６は、第一延設部３１２０の端縁及び角部３１１４のＹ軸方向に延びる端縁と連続し且つ矩形板状の本体領域３１６０と、本体領域３１６０のＹ軸方向における略中央であってＸ軸方向における外側の端部から蓄電素子２の閉塞部２１２に向かって（例えば、Ｚ軸方向における一方側に）突出すると共にその先端が閉塞部２１２に接触する接触領域３１６１と、を有する。本体領域３１６０のＸ軸方向における内側（基端側）の端縁（本体領域３１６０における第一本体部３１１（重なり部位３１１６）との境界位置）のうちＹ軸方向における内側に位置する端部には、一つの貫通孔３１６２が設けられている。この貫通孔３１６２は、流路３５の開口（入口）３５ａを構成する。接触領域３１６１は、Ｙ軸方向に沿った長尺状を有する突条である。
【００４１】
第一対向部３１７は、第一規制部３１２Ｂ間のＹ軸方向においてあけられた間隔に配置され、第一規制部３１２Ｂ（例えば、第一接触部３１６）にＹ軸方向において連続すると共に、延出部位３１１７のＺ軸方向における他方側の端縁（先端）からＸ軸方向における外側に延びる部位である。また、第一対向部３１７は、第一本体部３１１とＸ軸方向において隣り合う蓄電素子２の閉塞部２１２と離間した状態で対向している。そのため、第一対向部３１７は、第一接触部３１６と共に、Ｘ軸方向において第一本体部３１１と隣り合う蓄電素子２の閉塞部２１２を、Ｙ軸方向において（例えば、Ｙ軸方向の全域において）覆っている。第一対向部３１７のうちＸ軸方向における内側（基端側）の端縁（第一対向部３１７における第一本体部３１１（延出部位３１１７）との境界位置）には、複数の貫通孔３１７０が設けられている。この貫通孔３１７０は、流路３５の開口（入口）３５ａを構成する。
【００４２】
本実施形態の第一シールリブ３１８は、第一本体部３１１のＺ軸方向における一方側に配置される第一シールリブ３１８Ａと、第一本体部３１１のＺ軸方向における他方側に配置される第一シールリブ３１８Ｂと、を含む。
【００４３】
第一シールリブ３１８Ａは、第一規制部３１２ＡのうちＺ軸方向に延びる部位からＹ軸方向における内側に延びる部位と、この部位に連続すると共に第一本体部３１１のＺ軸方向における一方側の端部からＸ軸方向に延びる部位と、を含む。これにより、第一シールリブ３１８Ａは、第一規制部３１２Ａと共に、第一本体部３１３のＺ軸方向における一方側の端部における空間を密閉している。
【００４４】
第一シールリブ３１８Ｂは、第一規制部３１２ＢのうちＺ軸方向に延びる部位からＹ軸方向における内側に延びる部位と、この部位に連続すると共に第一本体部３１１のＺ軸方向における他方側の端部（重なり部位３１１６のＺ軸方向における他方側の端部）のＹ軸方向における外縁と途中位置との間の領域からＸ軸方向における外側に延びる部位と、を含む。これにより、第一シールリブ３１８Ｂは、Ｚ軸方向における他方側に位置する第一規制部３１２及び第一接触部３１６と共に、第一本体部３１３のＺ軸方向における他方側の角部における空間を密閉している。
【００４５】
以上の第一隣接部材３１は、隣り合う蓄電素子２と共に、流路３５（例えば、１３本の流路３５）を形成している（図６参照）。第一隣接部材３１が形成する流路３５は、例えば、Ｙ軸方向における中央に配置された流路３５０と、流路３５０に対してＹ軸方向における一方側に６本配置される流路３５１と、流路３５０に対してＹ軸方向における他方側に６本配置される流路３５２と、を含む。流路３５０、３５１、３５２には、方向変換部３６として、それぞれ方向変換部３６０、３６１、３６２が配置されている。また、流路３５０、３５１、３５２は、方向変換部３６０、３６１、３６２を除いて、略直線状に延びている。
【００４６】
流路３５０は、入口３５ａを含む第一路３５０１であって、入口３５ａから方向変換部３６０までＺ軸方向に延びる第一路３５０１と、それぞれ出口３５ｂを含む一対の第二路３５０２であって、方向変換部３６０から各出口３５ｂまでＹ軸方向における一方側と他方側とに延びる一対の第二路３５０２と、を有する。方向変換部３６０は、Ｚ軸方向における他方側から一方側への流体の流れがＹ軸方向における一方側及び他方側への流体の流れに分岐するよう変換する。本実施形態の方向変換部３６０は、第一本体部３１１のＹ軸方向における略中央に配置されている。
【００４７】
流路３５１は、入口３５ａから方向変換部３６１までＺ軸方向に延びる第一路３５１１と、出口３５ｂを含む第三路３５１２であって、方向変換部３６１から出口３５ｂまでＹ軸方向における他方側に延びる第三路３５１２と、を有する。方向変換部３６１は、Ｚ軸方向における他方側から一方側への流体の流れをＹ軸方向における一方側から他方側への流体の流れに変換する。
【００４８】
流路３５２は、入口３５ａから方向変換部３６２までＺ軸方向に延びる第一路３５２１と、出口３５ｂを含む第四路３５２２であって、方向変換部３６１から出口３５ｂまでＹ軸方向における一方側に延びる第四路３５２２と、を有する。方向変換部３６２は、Ｚ軸方向における他方側から一方側への流体の流れをＹ軸方向における他方側から一方側への流体の流れに変換する。
【００４９】
尚、第一隣接部材３１が形成する流路３５０の入口３５ａ、及び、流路３５１、３５２のうちＹ軸方向において最も外側に位置する一対の流路３５１、３５２を除く流路３５１、３５２の入口３５ａは、いずれも、第一接触部３１６よりＺ軸方向における外側（Ｚ軸方向における他方側）に位置している。本実施形態の流路３５０の入口３５ａ、及び、流路３５１、３５２のうちＹ軸方向において最も外側に位置する一対の流路３５１、３５２を除く流路３５１、３５２の入口３５ａは、第一対向部３１７のうちＸ軸方向における内側（基端側）の端縁（第一対向部３１７における第一本体部３１１（延出部位３１１７）との境界位置）に位置しているため、第一本体部３１１とＸ軸方向において隣り合う蓄電素子２の閉塞部２１２の外面から、延出部位３１１７のＺ軸方向における寸法分だけ、Ｚ軸方向において離れている。
【００５０】
第二隣接部材３２は、蓄電素子２と保持部材４との間に位置する略矩形板状の第二本体部３２１と、第二本体部３２１に隣接する蓄電素子２の該第二本体部３２１に対する相対移動を規制する第二規制部３２２と、を有する（図７、図８参照）。また、第二隣接部材３２は、第二規制部３２２の一部からＸ軸方向に延びる第二対向部３２７、及び、第二本体部３２１等からＸ軸方向に延びる第二シールリブ３２８等も有する。尚、本実施形態の第二隣接部材３２では、図２のＸ軸方向における一方側に配置される第二隣接部材３２（図７参照）、及び、図２のＸ軸方向における他方側に配置される第二隣接部材３２（図８参照）は、蓄電素子２と対向する側において、それぞれ同一の構成の第二本体部３２１、第二規制部３２２、及び、第二シールリブ３２８を有するため、これらの構成については図７の第二隣接部材３２を用いて説明する。
【００５１】
第二本体部３２１は、蓄電素子２のケース２１における長壁部２１４とＸ軸方向から見て重なる部位を含み、Ｙ−Ｚ面方向に広がる。本実施形態の第二本体部３２１は、長壁部２１４とＸ軸方向から見て重なる重なり部位３２１６と、重なり部位３２１６のＺ軸方向における他方側に位置する端縁のＹ軸方向における中央領域からＺ軸方向における他方側に延びる延出部位３２１７と、を含む。尚、延出部位３２１７は、第一本体部３１１とＸ軸方向において隣り合う蓄電素子２の閉塞部２１２よりＺ軸方向における他方側に位置している。
【００５２】
また、第二本体部３２１は、蓄電素子２と対向する面３２１１から突出する複数の第二突条３２１２を有する。この第二突条３２１２が、第二本体部３２１と隣り合う蓄電素子２（長壁部２１４の外面）に当接することによって、蓄電素子２（長壁部２１４の外面）と面３２１１との間に隙間が形成され、この隙間が流路３５を構成する。本実施形態の第二本体部３２１では、蓄電素子２側を向く面３２１１から第二突条３２１２が突出している。
【００５３】
このように蓄電素子２側を向く面３２１１に第二突条３２１２が形成されることによって第二本体部３２１と該第二本体部３２１に隣接する蓄電素子２との間に流路３５が形成される。具体的には、Ｘ軸方向の蓄電素子２側において、第二突条３２１２が、第二本体部３２１と隣り合う蓄電素子２（長壁部２１４の外面）に当接することによって、蓄電素子２（長壁部２１４の外面）と蓄電素子２側を向く面３２１１における第二突条３２１２が突出していない離間領域３２１３との間に隙間が形成され、この隙間が流路３５を構成する。
【００５４】
第二規制部３２２は、第二本体部３２１からＸ軸方向に延び、第二本体部３２１と隣接する蓄電素子２（詳しくはケース２１）とＹ−Ｚ面方向の外側から当接することによって該蓄電素子２の第二本体部３２１に対するＹ−Ｚ面方向への相対移動を規制する（図２参照）。本実施形態の第二規制部３２２は、第二本体部３２１のＺ軸方向における一方側に位置する一対の角部３２１４からＸ軸方向における外側に延びる第二規制部３２２Ａと、第二本体部３２１のＺ軸方向における他方側に位置する一対の角部３２１５から、Ｘ軸方向における外側に向けて延びている第二規制部３２２Ｂと、を含む。
【００５５】
第二規制部３２２Ａは、第二本体部２２１の一対の角部３２１４のＹ軸方向に延びる端縁及びＺ軸方向に延びる端縁からＸ軸方向における外側に延び、第二本体部２２１と隣り合う蓄電素子２（ケース２１）の角部にＸ−Ｚ面方向の外側から当接する。
【００５６】
第二規制部３２２Ｂは、第二本体部２２１の一対の角部３２１５のＹ軸方向に延びる端縁及びＺ軸方向に延びる端縁からＸ軸方向における外側に延び、第二本体部２２１と隣り合う蓄電素子２（ケース２１）の角部にＸ−Ｚ面方向の外側から当接する。本実施形態の第二規制部３２２Ｂは、Ｙ軸方向に間隔をあけて並んだ状態で一対配置されている。また、本実施形態の第二規制部３２２Ｂは、角部３２１５のＺ軸方向に延びる端縁からＸ軸方向における外側に延びる第一延設部３２２０と、角部３２１５のＹ軸方向に延びる端縁からＸ軸方向における外側に延びると共に、蓄電素子２の閉塞部２１２と接触する第二接触部（第二延設部）３２６と、を有する。
【００５７】
第二接触部３２６は、Ｘ軸方向において第二本体部３２１と隣り合う蓄電素子２の閉塞部２１２とＺ軸方向における外側（Ｚ軸方向における他方側）から接触している（図２参照）。本実施形態の第二接触部３２６は、第一延設部３２２０の端縁及び角部３２１５のＹ軸方向に延びる端縁と連続し且つ矩形板状の本体領域３２６０と、本体領域３２６０のＹ軸方向における略中央であってＸ軸方向における外側の端部から蓄電素子２の閉塞部２１２に向かって（例えば、Ｚ軸方向における一方側に）突出すると共にその先端が閉塞部２１２に接触する接触領域３２６１と、を有する。本体領域３１６０のＸ軸方向における内側（基端側）の端縁（本体領域３２６０における第二本体部３２１（重なり部位３２１６）との境界位置）のうちＹ軸方向における内側に位置する端部には、流路３５の入口３５ａが配置されている。接触領域３２６１は、Ｙ軸方向に沿った長尺状を有する突条である。
【００５８】
第二対向部３２７は、第二規制部３２２Ｂ間のＹ軸方向においてあけられた間隔に配置され、第二規制部３２２Ｂ（例えば、第二接触部３２６）にＹ軸方向において連続すると共に、延出部位３２１７からＸ軸方向における外側に延びる部位である。また、第二対向部３２７は、第二本体部３２１とＸ軸方向において隣り合う蓄電素子２の閉塞部２１２と離間した状態で対向している。そのため、第二対向部３２７は、第二接触部３２６と共に、Ｘ軸方向において第二本体部３２１と隣り合う蓄電素子２の閉塞部２１２を、Ｙ軸方向において（例えば、Ｙ軸方向の全域において）覆っている。第二対向部３２７のうちＸ軸方向における内側（基端側）の端縁（第二対向部３２７における第二本体部３２１（延出部位３２１７）との境界位置）には、複数の開口３５ａが配置されている。
【００５９】
本実施形態の第二シールリブ３２８は、第二本体部３２１のＺ軸方向における一方側に配置される第二シールリブ３２８Ａと、第二本体部３２１のＺ軸方向における他方側に配置される第二シールリブ３２８Ｂと、を含む。第二シールリブ３２８Ａ、３２８Ｂの構成は、第一隣接部材３１の第二シールリブ３２８Ａ、３２８Ｂの構成と同一である。
【００６０】
以上の第二隣接部材３２は、隣り合う蓄電素子２と共に、流路３５（例えば、９本の流路３５）を形成している（図９、図１０参照）。具体的に、第二隣接部材３２が形成する流路３５は、Ｙ軸方向における中央に配置された流路３５０と、流路３５０に対してＹ軸方向における一方側に４本配置される流路３５１と、流路３５０に対してＹ軸方向における他方側に４本配置される流路３５２と、を形成している。流路３５０、３５１、３５２の構成は、第一隣接部材３１が形成する流路３５０、３５１、３５２の構成とそれぞれ同じである。
【００６１】
尚、第二隣接部材３２が形成する流路３５０の入口３５ａ、及び、流路３５１、３５２のうちＹ軸方向において最も外側に位置する一対の流路３５１、３５２を除く流路３５１、３５２の入口３５ａは、いずれも、第二接触部３２６よりＺ軸方向における外側（Ｚ軸方向における他方側）に位置している。本実施形態の流路３５０の入口３５ａ、及び、流路３５１、３５２のうちＹ軸方向において最も外側に位置する一対の流路３５１、３５２を除く流路３５１、３５２の入口３５ａは、第二対向部３２７のうちＸ軸方向における内側（基端側）の端縁（第二対向部３１２７における第二本体部３２１（延出部位３２１７）との境界位置）に位置しているため、第二本体部３２１とＸ軸方向において隣り合う蓄電素子２の閉塞部２１２の外面から、延出部位３２１７のＺ軸方向における寸法分だけ、Ｚ軸方向において離れている。
【００６２】
複数の第三隣接部材３３のそれぞれは、Ｘ軸方向に隣り合う二つの蓄電素子２の間に位置する略矩形板状の第三本体部３３１と、第三本体部３３１に隣接する蓄電素子２の該第三本体部３３１に対する相対移動を規制する第三規制部３３２と、を有する（図１１、図１２参照）。また、第三隣接部材３３は、第三規制部３３２の一部からＸ軸方向に延びる第三対向部３３７、及び、第三本体部３３１等からＸ軸方向に延びる第三シールリブ３３８等も有する。
【００６３】
第三本体部３３１は、蓄電素子２のケース２１における長壁部２１４とＸ軸方向から見て重なる部位を含み、Ｙ−Ｚ面方向に広がる。この第三本体部３３１は、Ｘ軸方向の一方側の面である第一面３３１１と、Ｘ軸方向の他方側の面である第二面３３１２と、を有する（図１１〜図１４参照）。本実施形態の第三本体部３３１は、長壁部２１４とＸ軸方向から見て重なる重なり部位３３１６と、重なり部位３３１６のＺ軸方向における他方側に位置する端縁のＹ軸方向における中央領域からＺ軸方向における他方側に延びる延出部位３３１７と、を含む。尚、延出部位３３１７は、第三本体部３３１とＸ軸方向において隣り合う蓄電素子２の閉塞部２１２よりＺ軸方向における他方側に位置している。
【００６４】
これら第一面３３１１と第二面３３１２とのそれぞれは、第三本体部３３１と隣り合う蓄電素子２（長壁部２１４の外面）と当接する当接部３３１１ａ、３３１２ｂと、Ｘ軸方向において前記蓄電素子２（長壁部２１４の外面）から離間する離間部３３１１ｂ、３３１２ａとを含む。これら第一面３３１１に含まれる当接部３３１１ａ及び離間部３３１１ｂと、第二面３３１２に含まれる当接部３３１２ｂ及び離間部３３１２ａとは、対応する位置に配置されている。具体的に、第一面３３１１の当接部３３１１ａは、Ｘ軸方向から見て第二面３３１２の離間部３３１２ａと重なり、第一面３３１１の離間部３３１１ｂは、Ｘ軸方向から見て第二面３３１２の当接部３３１２ｂと重なる。
【００６５】
このように第一面３３１１と第二面３３１２とのそれぞれに凹凸形状が形成され、この凹凸形状によって第三本体部３３１と該第三本体部３３１に隣接する蓄電素子２との間に流路３５が形成される。具体的には、Ｘ軸方向の第一面３３１１側において、当接部３３１１ａが、第三本体部３３１と隣り合う蓄電素子２（長壁部２１４の外面）に当接することによって、蓄電素子２（長壁部２１４の外面）と離間部３３１１ｂとの間に隙間が形成され、この隙間が流路３５を構成する（図１１、図１３、図１５参照）。同様に、Ｘ軸方向の第二面３３１２側において、当接部３３１２ｂが、第三本体部３３１と隣り合う蓄電素子２に当接することによって、蓄電素子２（長壁部２１４の外面）と離間部３３１２ａとの間に隙間が形成され、この隙間が流路３５を構成する（図１２、図１４、図１６参照）。尚、本実施形態の第三隣接部材３３では、第二面３３１２のＺ軸方向における一方側の端部に形成された当接部３３１２ｂ（第二面３３１２のＺ軸方向における最も一方側に位置する当接部３３１２ｂ）は、Ｚ軸方向における一方側において流路３５と隣接しておらず、Ｚ軸方向における他方側のみで流路３５と隣接することになる。
【００６６】
第三規制部３３２は、第三本体部３３１からＸ軸方向に延び、第三本体部３３１と隣接する蓄電素子２（詳しくはケース２１）とＹ−Ｚ面方向の外側から当接することによって該蓄電素子２の第三本体部３３１に対するＹ−Ｚ面方向への相対移動を規制する（図１１〜図１４参照）。本実施形態の第三規制部３３２は、第三本体部３３１のＺ軸方向における一方側に位置する一対の角部３３１３からＸ軸方向における外側に延びる第三規制部３３２Ａと、第一本体部３１１のＺ軸方向における他方側に位置する一対の角部３３１４から、Ｘ軸方向における外側に向けて延びている第三規制部３３２Ｂと、を含む。
【００６７】
第三規制部３３２Ａは、第三本体部３３１の一対の角部３３１３のＹ軸方向に延びる端縁及びＺ軸方向に延びる端縁からＸ軸方向における外側に延び、第三本体部３３１と隣り合う蓄電素子２（ケース２１）の角部にＸ−Ｚ面方向の外側から当接する。
【００６８】
第三規制部３３２Ｂは、第三本体部３３１の一対の角部３３１４のＹ軸方向に延びる端縁及びＺ軸方向に延びる端縁からＸ軸方向における外側に延び、第三本体部３３１と隣り合う蓄電素子２（ケース２１）の角部にＸ−Ｚ面方向の外側から当接する。本実施形態の第三規制部３３２Ｂは、Ｙ軸方向に間隔をあけて並んだ状態で一対配置されている。また、本実施形態の第三規制部３３２Ｂは、角部３３１４のＺ軸方向に延びる端縁からＸ軸方向における外側に延びる第一延設部３３２０と、角部３３１４のＹ軸方向に延びる端縁からＸ軸方向における外側に延びると共に、蓄電素子２の閉塞部２１２と接触する第三接触部（第二延設部）３３６と、を有する（図１１、図１２参照）。
【００６９】
第三接触部３３６は、第三本体部３３１とＸ軸方向において隣り合う蓄電素子２の閉塞部２１２とＺ軸方向における外側（Ｚ軸方向における他方側）から接触している。本実施形態の第三接触部３３６は、第一延設部３３２０の端縁及び角部３３１４のＹ軸方向に延びる端縁と連続し且つ矩形板状の本体領域３３６０と、本体領域３３６０のＹ軸方向における略中央であってＸ軸方向における外側の端部から蓄電素子２の閉塞部２１２に向かって（例えば、Ｚ軸方向における一方側に）突出すると共にその先端が閉塞部２１２に接触する接触領域３３６１と、を有する（図１１〜図１４参照）。接触領域３３６１は、Ｙ軸方向に沿った長尺状を有する突条である。
【００７０】
本実施形態の第一面３３１１側に配置された本体領域３３６０において、本体領域３３６０のＸ軸方向における内側（基端側）の端縁（本体領域３３６０における第三本体部３３１（重なり部位３３１６）との境界位置）のうちＹ軸方向における内側に位置する端部に、一つの貫通孔３３６２が設けられている（図１１、図１３、図１５参照）。この貫通孔３１６２は、流路３５の開口（入口）３５ａを構成する。
【００７１】
第三対向部３３７は、第三規制部３３２Ｂ間のＹ軸方向においてあけられた間隔に配置され、第三規制部３３２Ｂ（例えば、第三接触部３３６）にＹ軸方向において連続すると共に、延出部位３３１７からＸ軸方向における外側に延びる部位である。また、第三対向部３３７は、第三本体部３３１とＸ軸方向において隣り合う蓄電素子２の閉塞部２１２と離間した状態で対向している。そのため、第三対向部３３７は、第三接触部３３６と共に、Ｘ軸方向において第三本体部３３１と隣り合う蓄電素子２の閉塞部２１２を、Ｙ軸方向において（例えば、Ｙ軸方向の全域において）覆っている。第三対向部３３７のうちＸ軸方向における内側（基端側）の端縁（第三対向部３３７における第三本体部３３１（延出部位３３１７）との境界位置）には、複数の貫通孔３３７０が設けられている。この貫通孔３３７０は、流路３５の開口（入口）３５ａを構成する。
【００７２】
第三シールリブ３３８は、第三本体部３３１のＺ軸方向における一方側に配置される第三シールリブ３３８Ａと、第三本体部３３１のＺ軸方向における他方側に配置される第三シールリブ３３８Ｂと、を含む。尚、本実施形態の第三シールリブ３３８Ａは、第三本体部３３１の一方の面（例えば、第一面３３１１）のみに配置されている。また、本実施形態の第三シールリブ３３８Ａ及び第三シールリブ３３８Ｂの構成は、第一隣接部材３１の第一シールリブ３１８Ａ、３１８Ｂの構成、及び第二隣接部材３２の第二シールリブ３２１Ａ、３２８Ｂの構成と同一である。
【００７３】
以上の第三隣接部材３３の第一面３３１１は、隣り合う蓄電素子２と共に、流路３５（例えば、５本の流路３５）を形成している（図１５参照）。具体的に、第一面３３１１が形成する流路３５は、Ｙ軸方向における中央に配置された流路３５０と、流路３５０に対してＹ軸方向における一方側に２本配置される流路３５１と、流路３５０に対してＹ軸方向における他方側に２本配置される流路３５２と、を含む。流路３５０、３５１、３５２の構成は、第一隣接部材３２が形成する流路３５０、３５１、３５２の構成とそれぞれ同じである。
【００７４】
また、第三隣接部材３３の第二面３３１２は、隣り合う蓄電素子２と共に、流路３５（例えば、４本の流路３５）を形成している（図１６参照）。具体的に、第二面３３１２が形成する流路３５は、Ｙ軸方向における一方側に２本配置される流路３５１と、流路３５０に対してＹ軸方向における他方側に２本配置される流路３５２と、を含む。流路３５１、３５２の構成は、第一隣接部材３２が形成する流路３５１、３５２の構成とそれぞれ同じである。
【００７５】
尚、第三隣接部材３３の第一面３３１１が形成する流路３５０の入口３５ａ、及び、流路３５１、３５２のうちＹ軸方向において最も外側に位置する一対の流路３５１、３５２を除く流路３５１、３５２の入口３５ａは、いずれも、第三接触部３３６よりＺ軸方向における外側（Ｚ軸方向における他方側）に位置している（図１５参照）。第三隣接部材３３の第一面３３１１が形成する流路３５０の入口３５ａ、第一面３３１１が形成する流路３５１、３５２のうちＹ軸方向において最も外側に位置する一対の流路３５１、３５２を除く流路３５１、３５２の入口３５ａ、及び、第二面３３１２が形成する流路３５１、３５２の入口３５ａは、第三対向部３３７のうちＸ軸方向における内側（基端側）の端縁（第三対向部３３７における第三本体部３３１（延出部位３３１７）との境界位置）に位置しているため、第三本体部３３１とＸ軸方向において隣り合う蓄電素子２の閉塞部２１２の外面から、延出部位３３１７のＺ軸方向における寸法分だけ、Ｚ軸方向において離れている。
【００７６】
第三隣接部材３３の第二面３３１２が形成する流路３５１、３５２の入口３５ａは、いずれも、第三接触部３３６よりＺ軸方向における外側（Ｚ軸方向における他方側）に位置している（図１６参照）。第三隣接部材３３の第二面３３１２が形成する流路３５１、３５２の入口３５ａは、第三対向部３３７のうちＸ軸方向における内側（基端側）の端縁（第三対向部３３７における第三本体部３３１（延出部位３３１７）との境界位置）に位置しているため、第三本体部３３１とＸ軸方向において隣り合う蓄電素子２の閉塞部２１２の外面から、延出部位３３１７のＺ軸方向における寸法分だけ、Ｚ軸方向において離れている。
【００７７】
第一面３３１１が形成する流路３５０、３５１、３５２、及び、第二面３３１２が形成する流路３５１、３５２では、いずれも、入口３５ａにおける流路３５の幅が出口３５ｂにおける流路３５の幅と略同一である（図１５、図１６参照）。本実施形態の流路３５０、３５１、３５２では、いずれも、各入口３５ａにおける流路３５の幅が均一であり、各出口３５ｂにおける流路３５の幅が均一である。尚、流路３５の幅とは、流路３５における流体の流れる方向（例えば、流路３５の長手方向）と直交する方向における幅である。
【００７８】
本実施形態の第三隣接部材３３は、方向変換部３６０に配置されたリブ部３３１１ｃを含む（図１１、図１３参照）。本実施形態のリブ部３３１１ｃは、第三本体部３３１のＸ軸方向における一方の面（例えば、第一面３３１１）のみに含まれている。また、リブ部３３１１ｃは、一つの第一面３３１１に対して一つ設けられている。尚、流路３５０におけるリブ部３３１１ｃの配置される領域の全ては、方向変換部３６０に含まれている。
【００７９】
リブ部３３１１ｃは、入口３５ａから第一路３５０１に入ってきた流体の流れを一対の第二路３１０２に流入するように分岐させるべく、一対の第二路３１０２間で延びる（図１５参照）。また、リブ部３３１１ｃは、第一面３３１１のＺ軸方向における一方側の端部に設けられた当接部３３１１ａのＹ軸方向における略中央に位置する部分から、Ｚ軸方向における他方側に延びている（図１１、図１３参照）。本実施形態のリブ部３３１１ｃは、第一面３３１１のＺ軸方向における一方側の端部に設けられた当接部３３１１ａと一体である。また、本実施形態のリブ部３３１１ｃのＸ軸方向における突出量（第一本体部３１１のＸ軸方向における一方側の面からのリブ部３３１１ｃのＸ軸方向における突出高さ）は、第三本体部３３１の第一面３３１１の離間部３３１１ｂから第一面３３１１と隣り合う蓄電素子２（ケース２１）までの距離と略同一である。本実施形態のリブ部３３１１ｃは、Ｚ軸方向における一方側に位置する部位ほどＹ軸方向における幅が広くなっている基部３３１１ｄと、基部３３１１ｄのＺ軸方向における他方側に位置する先端からさらにＺ軸方向における他方側に延びる延出部３３１１ｅと、を有する。
【００８０】
基部３３１１ｄの外面は、Ｚ軸方向における一方側に凸となる曲面であり、この外面はＸ軸方向から見て円弧状である。また、基部３３１１ｄの外面は、全体として滑らかな曲面状であり、階段状の部位や凹部や凸部等を有していない。さらに、基部３３１１ｄの内側には、略三角形状を有すると共にＸ軸方向を向いた開口が設けられている。
【００８１】
延出部３３１１ｅのＹ軸方向における幅は、Ｚ軸方向におけるいずれの部位においても均一である。また、延出部３３１１ｅは、Ｚ軸方向に沿って直線状に延びている。本実施形態の延出部３３１１ｅは、流路３５０のＹ軸方向における中心と重なるように延びている。
【００８２】
以上の第三隣接部材３３の第三対向部３３７は、蓄電素子２を挟んでＸ軸方向において隣り合う第一隣接部材３１の第一対向部３１７とＸ軸方向において連続する。このように、第三隣接部材３３の第三対向部３３７は、隣り合う第一対向部３１７と共に、この蓄電素子２の閉塞部２１２に沿って連続してＸ軸方向に延びるため、隣り合う第一隣接部材３１と第三隣接部材３３との間において、これらに挟まれる蓄電素子２の閉塞部２１２との間に連続し且つＸ軸方向に延びる空間が設けられる。これにより、第一隣接部材３１とこの第一隣接部材３１と隣り合う蓄電素子２とが形成する流路３５の入口３５ａから流入する流体、及び、この第一隣接部材３１と蓄電素子２を挟んで隣り合う第三隣接部材３３とこの蓄電素子２とが形成する流路３５の入口３５ａから流入する流体が、連通した空間に流通するため、この空間を介してこれらの流路３５同士が連通する。
【００８３】
同様に、第三隣接部材３３の第三対向部３３７は、蓄電素子２を挟んでＸ軸方向において隣り合う第二隣接部材３２の第二対向部３２７とＸ軸方向において連続し、第三隣接部材３３の第三対向部３３７は、隣り合う第二対向部３２７と共に、この蓄電素子２の閉塞部２１２に沿って連続してＸ軸方向に延びるため、隣り合う第一隣接部材３１と第三隣接部材３３との間において、これらに挟まれる蓄電素子２の閉塞部２１２との間に連続し且つＸ軸方向に延びる空間が設けられる。これにより、第三隣接部材３３とこの第三隣接部材３３と隣り合う蓄電素子２とが形成する流路３５の入口３５ａから流入した流体は、連通した空間に流通した後、第三隣接部材３３とこの第三隣接部材３３と隣り合う蓄電素子２とが形成する流路３５と、この第三隣接部材３３と蓄電素子２を挟んで隣り合う第二隣接部材３２とこの蓄電素子２とが形成する流路３５と、に分岐して流通するため、この空間を介してこれらの流路３５同士が連通する。そのため、第二隣接部材３２の流路３５の入口３５ａには、該第二隣接部材３２と共にＸ軸方向において蓄電素子２を挟んで隣り合う第三隣接部材３３に形成される流路３５の入口３５ａ（貫通孔３３７０、図１１参照）から流体が流入する。具体的に、第三隣接部材３３の第三対向部３３７に形成される流路３５の入口３５ａから流入した流体は、この第三隣接部材３３に隣り合う蓄電素子２の閉塞部２１２のＺ軸方向における他方側に位置する空間を通って、Ｘ軸方向における反対側に移動した後、Ｙ軸方向における両側に広がり、第二隣接部材３２の流路３５の入口３５ａに流入する。
【００８４】
保持部材４は、複数の蓄電素子２と複数の隣接部材３との周囲を囲むことにより、これら複数の蓄電素子２及び複数の隣接部材３をひとまとめに保持する（図１参照）。この保持部材４は、金属等の導電性を有する部材によって構成されている。具体的に、保持部材４は、Ｘ軸方向において複数の蓄電素子２の両側に配置される一対の終端部材４０と、終端部材４０におけるＹ軸方向の端部同士を接続する接続部材４３と、を有する。また、保持部材４は、終端部材４０と接続部材４３とを固定（連結）する固定部材４５を有する。本実施形態の蓄電装置１では、一対の接続部材４３が、一対の終端部材４０におけるＹ軸方向の両方の端部同士を接続している。
【００８５】
一対の終端部材４０のそれぞれは、Ｘ軸方向の端に配置された蓄電素子２との間に隣接部材３を挟み込むように配置される。これら一対の終端部材４０のそれぞれは、Ｙ−Ｚ面に沿って広がり且つＸ軸方向から見て蓄電素子２と重なる部位である終端部材本体４１と、終端部材本体４１から延びる延設部４２と、を有する（図２参照）。
【００８６】
終端部材本体４１は、蓄電素子２と対応した矩形状の部位である。この延設部４２は、蓄電装置１を設置面に固定するのに用いられる。本実施形態の終端部材４０は、Ｙ軸方向に間隔をあけて配置される二つの延設部４２を有する。
【００８７】
一対の接続部材４３は、Ｙ軸方向において複数の蓄電素子２の両側に配置される。これら一対の接続部材４３のそれぞれは、複数の蓄電素子２のそれぞれの短壁部２１５に沿ってＸ軸方向に延びる接続部材本体４４と、接続部材本体４４のＺ軸方向の他方側の端部からＹ軸方向に延び且つ複数の蓄電素子２のそれぞれの閉塞部２１２に沿って延びる第一延設部４６と、第一延設部４６からＺ軸方向の他方側に延びる第二延設部４７と、を有する。また、一対の接続部材４３のそれぞれは、接続部材本体４４のＸ軸方向の各端部から終端部材４０におけるＸ軸方向の外側を向いた面に沿ってＹ軸方向に延びる被連結部４８を有する。
【００８８】
接続部材本体４４は、Ｚ軸方向に間隔をあけてそれぞれがＸ軸方向に延びる一対の梁部４４１と、それぞれがＺ軸方向に延び且つ一対の梁部４４１の対応する（Ｚ軸方向に対向する）端部同士を接続する一対の端部接続部４４２と、それぞれがＺ軸方向に延び且つ一対の梁部４４１のＸ軸方向の途中位置におけるＺ軸方向に対向する部位同士を接続する複数の中間接続部４４３と、を有する。複数の中間接続部４４３は、Ｘ軸方向に間隔をあけて配置されている。
【００８９】
インシュレータ５は、絶縁性を有し、接続部材４３と複数の蓄電素子２との間に配置される。このインシュレータ５は、接続部材４３における少なくとも複数の蓄電素子２と対向する領域を覆う。具体的に、インシュレータ５は、接続部材本体４４における各蓄電素子２を向いた面を覆う本体被覆部５０と、第一延設部４６における各蓄電素子２を向いた面を覆う第一被覆部５１と、第二延設部４７におけるＹ軸方向の内側を向いた面を覆う第二被覆部５２と、を有する。
【００９０】
本体被覆部５０は、一対の梁部４４１と蓄電素子２との間の絶縁を図る一対の梁部被覆部５３と、一対の端部接続部４４２と蓄電素子２との絶縁を図る一対の端部被覆部５４と、複数の中間接続部４４３と蓄電素子２との絶縁を図る複数の中間被覆部５５と、を有する。各被覆部５３、５４、５５は、接続部材４３の梁部４４１、端部接続部４４２、中間接続部４４３と対応する形状を有する。
【００９１】
バスバ６は、金属等の導電性を有する板状の部材である。バスバ６は、蓄電素子２の外部端子２２同士、又は、蓄電素子２の外部端子２２と外部入出力用端子４９とを導通させる。バスバ６は、蓄電装置１において複数（複数の蓄電素子２の数及び外部入出力用端子４９の数と対応する数）設けられる。本実施形態の複数のバスバ６は、蓄電装置１に含まれる複数の蓄電素子２の全てを直列に接続する（導通させる）。
【００９２】
以上の蓄電装置１によれば、流路３５の入口３５ａと出口３５ｂとの間に方向変換部３６が設けられているため、入口３５ａから方向変換部３６まで流路３５が延びる方向と、方向変換部３６から出口３５ｂまで流路３５が延びる方向とを異ならせることができるため、様々な方向に延びる流路３５が形成された蓄電装置１を提供することができる。
【００９３】
本実施形態の蓄電装置１では、例えば、リブ部３３１１ｃが第三隣接部材３３に形成された流路３５０の方向変換部３６０における流体の流速や流体の状態を制御することで、この方向変換部３６０での流体の流れのよどみが抑えられるため、このよどみに起因する冷却性能の低下を抑制できる。
【００９４】
より詳細に説明すると、入口３５ａから方向変換部３６０までＺ軸方向に延びる第一路３５０１と、方向変換部３６０から出口３５ｂまでＹ軸方向における一方側と他方側とに延びる第二路３５０２と、を有する流路３５０に配置されることで、方向変換部３６０は広くなっている。また、第三隣接部材３３が凹凸形状を有すると共に、第一面３３１１に含まれる当接部３３１１ａ及び離間部３３１１ｂと第二面３３１２に含まれる当接部３３１２ｂ及び離間部３３１２ａとが対応する位置に配置されている（例えば、第一面３３１１の当接部３３１１ａがＸ軸方向から見て第二面３３１２の離間部３３１２ａと重なり、第一面３３１１の離間部３３１１ｂがＸ軸方向から見て第二面３３１２の当接部３３１２ｂと重なる）場合、第二面３３１２における方向変換部３６０の裏側に位置する部位では、放熱性が低くなっている。さらに、蓄電素子２のＹ−Ｚ面における中央領域では、そもそも熱がこもりやすいことに加えて、このような中央領域が第二面３３１２における放熱性の低い方向変換部２６０の裏側に位置する部位に対向するため、さらに熱がこもりやすくなっていた。これに対して、本実施形態の蓄電装置１では、方向変換部３６０での流体の流れのよどみが抑えられるため、蓄電装置１における方向変換部３６０の裏側に位置する部位（第二面３３１２の方向変換部３６０とＸ軸方向において並ぶ部位）において熱を逃がすことができる。
【００９５】
また、本実施形態の蓄電装置１では、流路３５の入口３５ａが接触部３１６、３２６、３３６よりＺ軸方向における外側に位置しており、流路３５の入口３５ａが第一本体部３１１とＸ軸方向において隣り合う蓄電素子２の閉塞部２１２の外面から、延出部位３１１７のＺ軸方向における寸法分だけ、Ｚ軸方向において離れているため、閉塞部２１２の流路３５の入口３５ａ隣り合う蓄電素子２のＺ軸方向に向く閉塞部２１２の流路３５の入口３５ａを挟んだ位置同士の沿面距離が、延出部位３１１７のＺ軸方向における寸法の二倍だけ長くなり、これにより、この位置同士における絶縁性を確保できる。
【００９６】
さらに、本実施形態の蓄電装置１では、接触部や対向部（第一接触部３１６や第一対向部３１７、第二接触部３２６や第二対向部３２７、第三接触部３３６や第三対向部３３７）が、Ｙ軸方向において連続すると共に、Ｘ軸方向において隣り合う蓄電素子２の閉塞部２１２をＹ軸方向において覆っているため、隣り合う蓄電素子２の閉塞部２１２の間における絶縁性をさらに確保できる。
【００９７】
本実施形態の蓄電装置１では、仮にほこりが流路３５内に侵入した場合に、第三隣接部材３３の第一面３３１１のＺ軸方向における一方側の端部に配置された第三シールリブ３３８Ａは、ほこりがＺ軸方向における他方側から一方側に通過することを抑える、その結果、ほこりがバスバ６に付着してＸ軸方向に隣り合うバスバ６間が短絡することを抑制できる。同様に、第一隣接部材３１や第二隣接部材３２のＺ軸方向における一方側に配置された第一シールリブ３１８Ａや第二シールリブ３２８Ａによっても、ほこりがバスバ６に付着してＸ軸方向に隣り合うバスバ６間が短絡することを抑制できる。
【００９８】
また、本実施形態の蓄電装置１では、リブ部３３１１ｃのＺ軸方向における一方側の一部の外面が、全体として滑らかな曲面状であり、階段状の部位や凹部や凸部等を有していないため、リブ部３３１１ｃが、方向変換部３６０において部分的に生じやすい流体の流れのよどみを抑えた状態で、Ｚ軸方向における他方側から一方側に流通する流体をＹ軸方向における一方側と他方側とに分岐させることができる。
【００９９】
さらに、第一隣接部材３１と該第一隣接部材３１と隣り合う蓄電素子２とが形成する流路３５は、この第一隣接部材３１と蓄電素子２を介して隣り合う第三隣接部材３３とこの蓄電素子２とが形成する流路３５と連通しているため、供給された流体が、この蓄電素子２の閉塞部２１２のＺ軸方向における他方側においてＹ軸方向における両側に広がった後、各流路３５に均一な流体を（例えば、冷却流体が空気である場合には均一な空気圧の空気を）流通することができる。また、第二隣接部材３２とこの蓄電素子２とが形成する流路３５は、この第二隣接部材３２と蓄電素子２を挟んで隣り合う第三隣接部材３３とこの蓄電素子２とが形成する流路３５と連通しているため、同様に、各流路３５に均一な流体を流通することができる。
【０１００】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【０１０１】
例えば、隣接部材３は、方向変換部３６より入口３５ａ側において、方向変換部３６における流体の流速及び該流体の状態の少なくとも一方を制御してもよい。また、第三隣接部材３３（第一面３３１１）は、方向変換部３６に配置され且つ蓄電素子２側に突出するリブ部３３１１ｃを含んでいなくてもよく、図１７に示すように、方向変換部３６を画定する壁面３３１１ｆを含んでもよい。壁面３３１１ｆは、流路３５０の第一路３５０１の延長線上に配置されて、Ｙ軸方向において延びている。この壁面３３１１ｆは、例えば、Ｙ軸方向において延びる平坦な面である。
【０１０２】
壁面３３１１ｆは、図１８に示すように、湾曲した面であってもよい。例えば、壁面３３１１ｆは、それぞれＺ軸方向における一方側に凸な一対の湾曲面３３１１ｇがＹ軸方向において並んだ構成であってもよい。この場合、各湾曲面３３１１ｇの曲率は、Ｙ軸方向における外側に位置するほど小さくてもよい。一対の湾曲面３３１１ｇは、流路３５０のＹ軸方向における略中央で互いに連続していてもよい。また、湾曲面３３１１ｇの代わりに、Ｘ軸方向から見たとき円弧状となるような曲面を設けてもよい。
【０１０３】
また、壁面３３１１ｆは、図１９に示すように、傾斜面であってもよい。例えば、壁面３３１１ｆは、一対の傾斜面３３１１ｈで構成されてもよい。一対の傾斜面３３１１ｈは、流路３５０のＹ軸方向における略中央で互いに連続していてもよい。また、一対の傾斜面３３１１ｈは、Ｙ軸方向における略中央側の部位ほどＺ軸方向における他方側に位置するよう傾斜していてもよい。
【０１０４】
このような構成においても、流路３５の入口３５ａと出口３５ｂとの間に方向変換部３６が設けられているため、様々な方向に延びる流路３５が形成された蓄電装置１を提供することができる。また、第一路３５０１から方向変換部３６０に流れてきた流体は、第一路３５０１の延長線上に配置され且つＹ軸方向において延びる第三隣接部材３３の壁面３３１１ｆ（方向変換部３６０を画定する壁面３３１１ｆ）に衝突することにより、この壁面３３１１ｆの周辺において乱流が起きるため、方向変換部３６０において部分的に生じる流体の流れのよどみを抑えることで、このよどみに起因する冷却性能の低下を抑制できる。
【０１０５】
隣接部材３に形成される流路３５は、方向変換部３６以外の領域において直線状に延びる構成に限らず、曲がったり蛇行していたりする構成であってもよい。流路３５の入口３５ａにおける幅は、流路３５の出口３５ｂにおける幅と異なっていてもよい。また、隣接部材３の蓄電素子２に対向する一つの面では、少なくとも二つの流路３５において、各入口３５ａにおける流路３５の幅がそれぞれ異なっていたり、各出口３５ｂにおける流路３５の幅がそれぞれ異なっていたりしてもよい。また、各流路３５における流路３５の幅は、長手方向の少なくとも一部の領域において不均一であってもよい。隣接部材３の蓄電素子２に対向する一つの面に設けられる各流路３５の形状（延びる方向や幅）を調整することで、効率的に流体を流通することができる。尚、流体は、Ｚ軸方向における他方側から一方側へと流通する以外に、Ｚ軸方向における一方側から他方側や、その他の方向に流通してもよい。
【０１０６】
流路３５は、一つの入口３５ａと一つ乃至二つの出口３５ｂを有していたが、一つの入口３５ａと三つ以上の複数の出口３５ｂを有していてもよいし、複数の入口３５ａと少なくとも一つの出口３５ｂとを有してもよい。
【０１０７】
第三隣接部材３３では、第一面３３１１と第二面３３１２とのそれぞれに凹凸形状が形成され、この凹凸形状によって第三本体部３３１と該第三本体部３３１に隣接する蓄電素子２との間に流路３５が形成されていたが、第一隣接部材３１や第二隣接部材３２のように、第一面３３１１や第二面３３１２に突出部が形成され、この突出部によって第三本体部３３１と該第三本体部３３１に隣接する蓄電素子２との間に流路３５が形成されてもよい。
【０１０８】
リブ部３３１１ｃは、第三隣接部材３３の第三本体部３３１のＺ軸方向における一方側の端部に配置された当接部３３１１ａと一体であったが（連続していたが）、この当接部３３１１ａと離間していてもよい。例えば、リブ部３３１１ｃは、この当接部３３１１ａとＺ軸方向において間隔をあけて配置されていてもよい。また、リブ部３３１１ｃは、方向変換部３６０に配置されていたが、方向変換部３６０から第一路３５０１に延びていてもよい。また、リブ部３３１１ｃは、方向変換部３６０には配置されず、方向変換部３６０より入口３５ａ側（例えば、第一路３５０１）のみに配置されていてもよい。さらに、リブ部３３１１ｃは複数配置されていてもよく、例えば、リブ部３３１１ｃが方向変換部３６０や方向変換部３６０より入口３５ａ側（例えば、第一路３５０１）に間欠的に配置されてもよい。尚、リブ部３３１１ｃが熱伝導性及び絶縁性の両方を有する材質で構成されてもよく、この場合、蓄電装置１における放熱性を向上させることができる。
【０１０９】
また、リブ部３３１１ｃにより分岐された流体が流れる流路３５の少なくとも一部の幅が、流路３５の前記少なくとも一部より入口３５ａ側の部位の幅と比べて狭くてもよく、これにより、方向変換部３６における流速が速くなり、その結果、流速に起因する冷却性能の低下を抑制してもよい。さらに、リブ部３３１１ｃにより分岐された流体が流れる流路３５の少なくとも一部の断面積が、流路３５の前記少なくとも一部よりも入口３５ａ側の部位の断面積と比べて狭くてもよく、この場合において、方向変換部３６における流速が速くなり、その結果、流速に起因する冷却性能の低下を抑制してもよい。具体的に、リブ部３３１１ｃにより分岐された流体が流れる流路３５の少なくとも一部の幅や断面積の和が、流路３５の前記少なくとも一部より入口３５ａ側の部位の幅や断面積と比べて狭くてもよい。
【０１１０】
隣接部材３は、流路３５０のような構成の流路３５（入口３５ａを含むと共に、入口３５ａから方向変換部３６０までＺ軸方向に延びる第一路３５０１と、それぞれ出口３５ｂを含む一対の第二路３５０２であって、方向変換部３６０から各出口３５ｂまでＹ軸方向における一方側と他方側とに延びる一対の第二路３５０２を有する構成）が形成されなくてもよく、このような流路３５が形成されずに、第一接触部３１６、第二接触部３２６、第三接触部３３６や、第一対向部３１７、第二対向部３２７、第三対向部３３７のようなＺ軸方向における他方側に位置する構成を備えてもよい。
【０１１１】
第三接触部３３６や第三対向部３３７は、第三隣接部材３３の第三本体部３３１のＺ軸方向における他方側の端部からＸ軸方向における両側に延びていたが、第三本体部３３１のＺ軸方向における他方側の端部からＸ軸方向における一方側又は他方側（Ｘ軸方向における一方側及び他方側のうち一方のみ）に延びていてもよい。また、第三接触部３３６は、第三隣接部材３３の第一面３３１１や第二面３３１２にそれぞれ一対設けられていたが、第一面３３１１や第二面３３１２にそれぞれ一つのみ設けられていてもよいし、三つ以上の複数設けられていてもよい。このような場合においても、流路３５の入口３５ａは、第三接触部３３６よりもＺ軸方向における外側に位置していれば、閉塞部２１２の流路３５の入口３５ａ隣り合う蓄電素子２のＺ軸方向に向く閉塞部２１２の流路３５の入口３５ａを挟んだ位置同士の沿面距離が、延出部位３１１７のＺ軸方向における寸法の二倍だけ長くなるため、この位置同士における絶縁性を確保できる。さらに、このような場合においても、第三対向部３３７に流路３５の入口３５ａを構成する貫通孔３３７０が設けられ、第三接触部３３６及び第三対向部３３７がＹ軸方向において隣り合う蓄電素子２の閉塞部２１２を覆っていれば、隣り合う蓄電素子２の閉塞部２１２の間における絶縁性をさらに確保できる。
【０１１２】
第三接触部３３６が第三隣接部材３３の第一面３３１１や第二面３３１２にそれぞれ一つずつ設けられる場合、一つの第三接触部３３６が、一つの第三対向部３３７と共に、この第一面３３１１や第二面３３１２に対向する蓄電素子２の閉塞部２１２のＹ軸方向の全域において覆ってもよい。
【０１１３】
また、第三接触部３３６が第三隣接部材３３の第一面３３１１や第二面３３１２にそれぞれ一つずつ設けられる場合に、例えば、第三本体部３３１のＺ軸方向における他方側の端部から第三対向部３３７が延びていなくてもよい。即ち、第三隣接部材３３が第三対向部３３７を有していなくてもよい。この場合、一つの第三接触部３３６が、第一面３３１１や第二面３３１２に対向する蓄電素子２の閉塞部２１２を、Ｙ軸方向の全域において覆ってもよい。
【０１１４】
蓄電装置１に含まれる蓄電素子２の数は複数に限らず、一つであってもよい。換言すると、蓄電装置１に含まれる蓄電素子２の数は少なくとも一つであればよい。
【符号の説明】
【０１１５】
１…蓄電装置、２…蓄電素子、２０…電極体、２１…ケース、２２…外部端子、２１１…ケース本体、２１２……閉塞部、２１３…胴部、２１４…長壁部、２１５…短壁部、２１６…蓋板、２１７…ガス排出弁、３……隣接部材、３１…第一隣接部材（隣接部材）、３１１…第一本体部、３１２、３１２Ａ、３１２Ｂ…第一規制部、３１５…ボルト、３１６…第一接触部、３１１１…面、３１１２…第一突条、３１１３、３１１４…角部、３１１５…離間領域、３１１６…重なり部位、３１１７…延出部位、３１６０…本体領域、３１６１…接触領域、３１６２、３１７０…貫通孔、３１７…第一対向部、３１８、３１８Ａ、３１８Ｂ…第一シールリブ、３２…第二隣接部材（隣接部材）、３２１…第二本体部、３２２、３２２Ａ、３２２Ｂ…第二規制部、３２６…第二接触部、面…３２１１、３２１２…第二突条、３２１３…離間領域、３２１４、３２１５…角部、３２１６…重なり部位、３２１７…延出部位、３２６０…本体領域、３２６１…接触領域、３２７…第二対向部、３２８、３２８Ａ、３２８Ｂ…第二シールリブ、３３…第三隣接部材（隣接部材）、３３１…第三本体部、３３１１…第一面、３３１２…第二面、３３１１ａ、３３１２ｂ…当接部、３３１１ｂ、３３１２ａ…離間部、３３１１ｃ…リブ部、３３１１ｄ…基部、３３１１ｅ…延出部、３３１１ｆ…壁面、３３１１ｇ…湾曲面、３３１１ｈ…傾斜面、３３１３、３３１４…角部、３３１６…重なり部位、３３１７…延出部位、３３２、３３２Ａ、３３２Ｂ…第三規制部、３３６…第三接触部、３３７…第三対向部、３３６０…本体領域、３３６１…接触領域、３３６２、３３７０…貫通孔、３３８、３３８Ａ、３３８Ｂ…第三シールリブ、３５、３５０、３５１、３５２…流路、３５ａ…開口、入口、３５ｂ…開口、出口、３５０１、３５１１、３５２１…第一路、３５０２…第二路、３５１２、…第三路、３５２２…第四路、３６、３６０、３６１、３６２…方向変換部、４…保持部材、４０…終端部材、４１…終端部材本体、４２…延設部、４３…接続部材、４４…接続部材本体、４４１…梁部、４４２…端部接続部、４４３…中間接続部、４５…固定部材、４６…第一延設部、４７…第二延設部、４８…被連結部、４９…外部入出力用端子、５…インシュレータ、５０…本体被覆部、５１…第一被覆部、５２…第二被覆部、５３…梁部被覆部、５４…端部被覆部、５５…中間被覆部、６…バスバ、１０２…電池セル、１０３…スペーサ、１１０…溝、１２０…冷却隙間
【図１】
2019220418.tif 000003
【図２】
2019220418.tif 000004
【図３】
2019220418.tif 000005
【図４】
2019220418.tif 000006
【図５】
2019220418.tif 000007
【図６】
2019220418.tif 000008
【図７】
2019220418.tif 000009
【図８】
2019220418.tif 000010
【図９】
2019220418.tif 000011
【図１０】
2019220418.tif 000012
【図１１】
2019220418.tif 000013
【図１２】
2019220418.tif 000014
【図１３】
2019220418.tif 000015
【図１４】
2019220418.tif 000016
【図１５】
2019220418.tif 000017
【図１６】
2019220418.tif 000018
【図１７】
2019220418.tif 000019
【図１８】
2019220418.tif 000020
【図１９】
2019220418.tif 000021
【図２０】
2019220418.tif 000022